(57)【要約】  本発明の実施例は、ＲＳＩＭ実体ユーザ識別モジュールに従って移動体通信網と第１接続を確立することと、ＶＳＩＭサーバから送信されたユーザ識別コード付きＶＳＩＭ情報を第１接続を介して取得することと、ＶＳＩＭ情報に従ってネットワーク側への登録請求を開始することと、ＶＳＩＭを認証するための認証パラメータ付き認証請求メッセージを取得することと、ＶＳＩＭサーバに認証パラメータを送信し、ＶＳＩＭサーバが認証パラメータに従って認証応答パラメータを決定することと、ＶＳＩＭサーバから送信された認証応答パラメータを取得し、認証応答パラメータに従って認証を行うことを含むことを特徴とするＶＳＩＭ認証方法と装置を提供する。本発明の実施形態は、オペレータの特別な許可なしにＶＳＩＭの認証を実現することができるので、モバイル端末はＶＳＩＭを介して移動体通信網にアクセスすることができる。
2019503635.tif 000002
【特許請求の範囲】
【請求項１】
端末内のＲＳＩＭ実体ユーザ識別モジュールに従って移動体通信網と第１接続を確立することと、
前記第１接続を介してＶＳＩＭサーバから送信された前記ＶＳＩＭのユーザ識別コード付き前記ＶＳＩＭ情報を取得することと、
ＶＳＩＭ情報に従ってネットワーク側に登録請求を開始することと、
ＶＳＩＭを認証するための認証請求メッセージを取得することと、
前記ＶＳＩＭサーバに前記認証請求メッセージの認証パラメータを送信し、前記ＶＳＩＭサーバが前記認証パラメータに従って認証応答パラメータを決定することと、
前記ＶＳＩＭサーバから送信された認証応答パラメータを取得し、前記認証応答パラメータに従って認証を行うことを特徴とするＶＳＩＭ仮想ユーザ識別モジュール認証方法。
【請求項２】
前記ＲＳＩＭのアップリンク同期フレームを送信することを特徴とする請求項１記載の方法。
【請求項３】
第１接続を介して認証パラメータを前記ＶＳＩＭサーバに送信することを含み、前記認証パラメータを前記ＶＳＩＭサーバに送信することと、
第１接続を介し、前記ＶＳＩＭサーバによって送信された認証応答パラメータを取得することを含み、前記ＶＳＩＭサーバによって送信された認証応答パラメータを取得することと、
また、
第１接続を介して前記ＶＳＩＭのアップリンク同期フレームを送信することを特徴とする請求項２記載の方法。
【請求項４】
前記ＶＳＩＭ情報を取得した後、第１接続を切断することと、及び
前記認証請求メッセージを取得した後、
前記ＲＳＩＭに従って移動体通信ネットワークと第２接続を確立することと、
前記第２接続を介して前記ＶＳＩＭのアップリンク同期フレームを送信することを特徴とする請求項１記載の方法。
【請求項５】
前記ＶＳＩＭサーバから送信された認証応答パラメータを取得した後、
第２接続を切断することを特徴とする請求項４記載の方法。
【請求項６】
端末内のＲＳＩＭ実体ユーザ識別モジュールに従って移動体通信網と第１接続を確立するように構成された第１接続確立モジュールと、
前記第１接続を介して前記ＶＳＩＭサーバから送信された前記ＶＳＩＭのユーザ識別コード付き前記ＶＳＩＭ情報を取得するように構成された第三取得モジュールと、
前記ＶＳＩＭに従ってネットワーク側に登録請求を開始するように構成された第１登録開始モジュールと、
前記ＶＳＩＭを認証するために認証請求メッセージの携帯した認証パラメータと、前記ＶＳＩＭを認証するための認証請求メッセージを取得するように構成された第１取得モジュールと、
前記ＶＳＩＭサーバに前記第１取得モジュールの取得した認証パラメータを送信し、前記ＶＳＩＭサーバが前記認証パラメータに従って認証応答パラメータを決定するように構成された第１送信モジュールと、
前記ＶＳＩＭサーバによって送信された認証応答パラメータを取得するように構成された第２取得モジュールと、
前記第２取得モジュールによって取得された認証応答パラメータに従って認証を実行するように構成される認証モジュールを含むことを特徴とするＶＳＩＭ仮想ユーザ識別モジュール認証装置。
【請求項７】
ＲＳＩＭのアップリンク同期フレームを送信するように構成される第２送信モジュールを含むことを特徴とする請求項６記載の装置。
【請求項８】
前記第１接続を介して第１取得モジュールによって取得された認証パラメータをＶＳＩＭサーバに送信するように構成される第１送信モジュールと、
第１接続を介してＶＳＩＭサーバによって送信された認証応答パラメータを取得するように構成される第２取得モジュールと、
また、
第１接続を介して前記ＶＳＩＭのアップリンク同期フレームを送信するように構成される第３送信モジュールを含むことを特徴とする請求項７記載の装置。
【請求項９】
前記第１接続確立モジュールによって確立された前記第１接続を切断するように構成された第１接続切断モジュールと、
前記接続切断モジュールが前記第１接続を切断した後に、前記ＶＳＩＭに従って前記ネットワーク側への登録請求を開始するように構成された第２登録開始モジュールと、
前記第１取得モジュールが認証請求メッセージを取得した後に、ＲＳＩＭに従って前記移動体通信網と第２接続を確立するように構成された第２接続確立モジュールと、
前記第２接続を介して前記ＶＳＩＭのアップリンク同期フレームを送信するように構成された第４送信モジュールを含むことを特徴とする請求項６記載の装置。
【請求項１０】
前記第２取得モジュールが前記ＶＩＳＭサーバによって送信された認証応答パラメータを取得した後に第２接続を切断するように構成される第２接続切断モジュールを含むことを特徴とする請求項９記載の装置。
【発明の詳細な説明】
【技術分野】
【０００１】
本発明の実施形態は、通信技術の分野に関し、特に、仮想ユーザ識別モジュール認証方法および装置に関する。
【背景技術】
【０００２】
ユーザ識別モジュール（Ｓｕｂｓｃｒｉｂｅｒ  Ｉｄｅｎｔｉｔｙ  Ｍｏｄｕｌｅ：ＳＩＭ）は、移動体通信網における移動体デバイスを識別し、同移動体デバイスが特定の通信網にアクセスする為、ＧＳＭ（登録商標）とＵＭＴＳあるいは４Ｇあるいは他の将来の移動体デバイスに必要なデータを格納するためのマイクロプロセッサチップである。通常、ＳＩＭカードはＵＳＩＭカードとＳＩＭカードを含む。
【０００３】
例えば国際旅行などの際に、ユーザが通信事業者同士の提携による移動体通信網サービスを利用する場合、ローミング料金が請求されるようなる。国際旅行の場合、ユーザは、ＳＩＭカードを交換することによって旅行の間にローカル移動体通信網にアクセスすることができる。従って、旅行中にユーザの個人ＳＩＭカードが取り外されたため、ユーザはＳＩＭカードに保存された個人データを呼び出すことができず、ユーザに迷惑をかける可能性がある。
【発明の概要】
【発明が解決しようとする課題】
【０００４】
本発明の実施形態は、従来のＳＩＭカードを交換しなければローカル移動体通信網にアクセスするための高いローミング料金を回避することができない問題を解決するＶＳＩＭ仮想ユーザ識別モジュール認証方法および装置を提供する。  
【課題を解決するための手段】
【０００５】
本発明の一実施形態は、
ＲＳＩＭ実体ユーザ識別モジュールに従って移動体通信網と第１接続を確立することと、ＶＳＩＭサーバから送信されたユーザ識別コード付きＶＳＩＭ情報を第１接続を介して取得することと、ＶＳＩＭ情報に従ってネットワーク側への登録請求を開始することと、前記ＶＳＩＭを認証するための認証パラメータ付き認証請求メッセージを取得することと、ＶＳＩＭサーバに認証請求メッセージの認証パラメータを送信し、ＶＳＩＭサーバが認証パラメータに従って認証応答パラメータを決定することと、ＶＳＩＭサーバから送信された認証応答パラメータを取得し、認証応答パラメータに従って認証を行うことを含むことを特徴とするＶＳＩＭ仮想ユーザ識別モジュール認証方法を提供する。
【０００６】
本発明のもう一つの実施形態は、認証パラメータを前記ＶＳＩＭサーバに送信することすなわち第１接続を介して認証パラメータをＶＳＩＭサーバに送信することと、及び、ＶＳＩＭサーバから送信された認証応答パラメータを取得することすなわち第１接続を介してＶＳＩＭサーバからの認証応答パラメータを取得することと、また、第１接続を介してＶＳＩＭのアップリンク同期フレームを送信することを含むことを特徴とするＶＳＩＭ認証方法を提供する。
【０００７】
本発明のもう一つの実施形態は、ＶＳＩＭメッセージの取得後に、更に、第１接続を切断することと、及び、認証請求メッセージの取得後に、更に、ＲＳＩＭに従って移動体通信網と第２接続を確立することと、第２接続を介してＶＳＩＭのアップリンク同期フレームを送信することを含むことを特徴とするＶＳＩＭ認証方法を提供する。
【０００８】
本発明のもう一つの実施形態は、端末のＲＳＩＭ実体ユーザ識別モジュールに従って移動体通信網と第１接続を確立するように構成された第１接続確立モジュールと、ＶＳＩＭサーバから送信されたユーザ識別コード付きＶＳＩＭ情報を第１接続を介して取得するように構成された第３取得モジュールと、ＶＳＩＭ情報に従ってネットワーク側に登録請求を開始するように構成された第１登録開始モジュールと、前記ＶＳＩＭを認証するための認証パラメータ付き認証請求メッセージを取得するように構成された第１取得モジュールと、ＶＳＩＭサーバに第１取得モジュールの取得した認証パラメータを送信し、ＶＳＩＭサーバが認証パラメータに従って認証応答パラメータを決定するように構成された第１送信モジュールと、ＶＩＳＭサーバによって送信された認証応答パラメータを取得するように構成された第２取得モジュールと、第２取得モジュールによって取得された認証応答パラメータに従って認証を実行するように構成される認証モジュールを含むことを特徴とするＶＳＩＭ仮想ユーザ識別モジュール認証装置を提供する。
【０００９】
本発明のもう一つの実施形態は、第１接続を介して第１取得モジュールによって取得された認証パラメータをＶＳＩＭサーバに送信するように構成される第１送信モジュールと、第１接続を介してＶＳＩＭサーバによって送信された認証応答パラメータを取得するように構成される第２取得モジュールと、第１接続を介してＶＳＩＭのアップリンク同期フレームを送信するように構成される第３送信モジュールを含むことを特徴とするＶＳＩＭ認証装置を提供する。
【００１０】
本発明のもう一つの実施形態は、第１接続確立モジュールによって確立された第１接続を切断するように構成された第１接続切断モジュールと、接続切断モジュールが前記第１接続を切断した後に、前記ＶＳＩＭに従って前記ネットワーク側への登録請求を開始するように構成された第２登録開始モジュールと、第１取得モジュールが認証請求メッセージを取得した後に、ＲＳＩＭに従って移動体通信網と第２接続を確立するように構成された第２接続確立モジュールと、第２接続を介して前記ＶＳＩＭのアップリンク同期フレームを送信するように構成された第４送信モジュールを含むことを特徴とするＶＳＩＭ認証装置を提供する。
【００１１】
本発明の実施形態に関するＶＳＩＭ認証方法及び装置は、ＶＳＩＭ認証請求メッセージを取得した後、サーバが認証パラメータに従って認証応答を決定する為、ＶＳＩＭサーバに認証パラメータを送信し、それからサーバから認証応答パラメータを取得ことにより、少量のローミングリソースのみでＶＳＩＭに対する認証ができ、それによってモバイル端末がＶＳＩＭを介して移動体通信網にアクセスすることができる。
【図面の簡単な説明】
【００１２】
以下、本発明の実施形態または従来技術における技術的な解決手段をより明確に説明するため、実施形態または従来技術の図面について簡単に説明する。明らかなことに、以下の図面は本発明のいくつかの実施形態のみであり、勿論、それにより本発明の権利範囲を制限することはできないものとする。明言することとして、同技術分野の一般的な技術者は、本本発明の原理を脱出しない前提で、創造的な作業を行うことなく、これらの図面に基づいて他の図面を得ることができる。
【図１】本発明によるＶＳＩＭ認証方法の一実施形態のフローチャートである。
【図２】本発明によるＶＳＩＭ認証方法のもう一つの実施形態のフローチャートである。
【図３】本発明によるＶＳＩＭ認証方法の更なるもう一つの実施形態のフローチャートである。
【図４】本発明によるＶＳＩＭ認証装置の一実施形態の構成略図である。
【図５】本発明によるＶＳＩＭ認証装置のもう一つの実施形態の構成略図である。
【図６】本発明によるＶＳＩＭ認証装置の更なるもう一つの実施形態の構成略図である。
【図７】本発明によるＶＳＩＭ認証方法の一実施形態の信号交信図である。
【図８】本発明によるＶＳＩＭ認証方法のもう一つの実施形態の信号交信図である。
【発明を実施するための形態】
【００１３】
本発明の実施形態の目的、技術的な解決手段及び利点をより明確にするために、以下、本発明の実施形態の図面を合わせ、本発明の実施形態における技術的な解決手段を明確かつ完全に説明する。明らかなことに、記載された実施形態は、全ての実施形態ではなく、本発明の一部の実施形態であることは言うまでもない。本発明の実施形態に基づき、本分野の一般的な技術者は、創造的な作業をしなかった前提で得られたいかなる他の実施形態が、本発明の精神、範囲及び内容に含まれると見なされるものとする。
【００１４】
本発明の実施形態では、移動体通信網は、既存の２Ｇ、３Ｇ通信システムと次世代通信システムなどのグローバル移動体通信（ＧＳＭ，Ｇｌｏｂａｌ  Ｓｙｓｔｅｍ  ｆｏｒ  Ｍｏｂｉｌｅ  ｃｏｍｍｕｎｉｃａｔｉｏｎ）システム、符号分割多元接続（ＣＤＭＡ，Ｃｏｄｅ  Ｄｉｖｉｓｉｏｎ  Ｍｕｌｔｉｐｌｅ  Ａｃｃｅｓｓ）システム、時分割多元接続（ＴＤＭＡ，Ｔｉｍｅ  Ｄｉｖｉｓｉｏｎ  Ｍｕｌｔｉｐｌｅ  Ａｃｃｅｓｓ）システム、広帯域符号分割多元接続（ＷＣＤＭＡ（登録商標），Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）システム、周波数分割多元接続（ＦＤＭＡ，Ｆｒｅｑｕｅｎｃｙ  Ｄｉｖｉｓｉｏｎ  Ｍｕｌｔｉｐｌｅ  Ａｃｃｅｓｓ）システム、直交周波数分割多元接続ＯＦＤＭＡ，Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、汎用パケット無線システム（ＧＰＲＳ，Ｇｅｎｅｒａｌ  Ｐａｃｋｅｔ  Ｒａｄｉｏ  Ｓｅｒｖｉｃｅ）システム、汎用移動体通信ＵＭＴＳ（Ｕｎｉｖｅｒｓａｌ  Ｍｏｂｉｌｅ  Ｔｅｌｅｃｏｍｍｕｎｉｃａｔｉｏｎｓ）システム、ロング・ターム・エヴォリューション（ＬＴＥ，Ｌｏｎｇ  Ｔｅｒｍ  Ｅｖｏｌｕｔｉｏｎ）システムなど、様々な通信システム、例えば、様々なセルラーネットワークを含む。
【００１５】
「システム」と「ネットワーク（網）」という用語は、本稿では交換した使用ができる。用語「及び／又は」は単に３つの関わりを表す。例えば、Ａ及び／又はＢと表すことができ、Ａが単独で存在すること、Ａ及びＢが同時に存在すること、並びにＢが単独で存在することという３つの状況を表す。また、本稿の中国語記号「／」は一般的に、前後の言葉は「または」という関係であることを示す。
【００１６】
また、本稿におけるＳＩＭカードはＵＳＩＭカードとＳＩＭカードを含む上、ＳＩＭ  あるいは  ＵＳＩＭ  アプリケーションあるいは  ＣＤＭＡのＲＵＩＭアプリケーションを運行する汎用集積回路カードＵＩＣＣを網羅する。
【００１７】
モバイル端末が起動してネットワークに登録するときに、位置情報の更新、新規サービスの有効化、有効化の実行、および呼び出しプロセスはいずれも認証を必要とする可能性がある。本発明は、実施形態で認証の起因としてただ１種状況しか列挙しないかもしれないが、本発明の実施形態は、他の状況を排除する意味ではない。
【００１８】
図１は本発明によるＶＳＩＭ認証方法の一実施形態のフローチャートである図１のように、本発明のＶＳＩＭ認証方法は、以下のステップを含む。
ステップ１１０：端末内のＲＳＩＭ実体ユーザ識別モジュールに従って移動体通信網と第１接続を確立する。
モバイル端末は実体ＳＩＭカードを備え、同実体ＳＩＭカード（ＲＳＩＭ）は、カードスロットを介してモバイル端末のＳＩＭカード回路に結合することができる。例えば、モバイル端末の電源が投入された後、同実体ＳＩＭがネットワークに登録され、ＰＤＰが有効化された後にデータチャネルが開かれる。
【００１９】
同ステップでは、モバイル端末のＲＳＩＭは、従来技術の方法またはプロトコルによって移動体通信網と第１接続を確立することができる。ＳＩＭカードには、国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ：ＩＭＳＩ）というキーポイントとなるデータを有する。ＩＭＳＩには、移動体国コード（Ｍｏｂｉｌｅ  Ｃｏｕｎｔｒｙ  Ｃｏｄｅ：ＭＣＣ）と移動体通信網コード（Ｍｏｂｉｌｅ  Ｎｅｔｗｏｒｋ  Ｃｏｄｅ：ＭＮＣ）を有し、そのうちＩＭＳＩがＳＩＭカードを一意に識別する。携帯電話のスタート時に、ＳＩＭカードからＩＭＳＩを読取り、移動体通信網に送信する。移動体通信網はＩＭＳＩに基づきモバイル端末を識別することにより、接続を確立する為に認証を開始する。
【００２０】
ＧＳＭを例にとると、移動体通信網がモバイル端末のログイン（登録）を発見すると、ＲＡＮＤ  （例えば１６バイトのランダムデータ）を生成してモバイル端末に送信する。モバイル端末は前記ＲＡＮＤをＳＩＭカードに送信する。ＳＩＭカードが自らの暗号鍵ＫｉとＲＡＮＤを用いて演算してＳＲＥＳを生成してモバイル端末に返送するとともに移動体通信網に転送する。移動体通信網が相応のアルゴリズム演算を行い、２つの結果を比較することにより認証の成否を判定し、認証に成功した場合にモバイル端末が移動体通信網に登録することを許可する。
【００２１】
具体的には、モバイル端末が実体ＳＩＭカードを介して移動体通信網と第１接続を確立する。そのうち、前記実体ＳＩＭカードがモバイル端末に内蔵したＳＩＭカード、またはカードスロットを介してモバイル端末と結合したＳＩＭカードである。移動体通信網からの認証請求がある場合、ＳＩＭカード内の認証回路は、認証パラメータに基づいた計算で認証応答を決定する。
【００２２】
ユーザの国際旅行の際に、モバイル端末がモバイル端末内のＳＩＭカードを介してローミング先の移動体通信網への登録請求を開始する時に、移動体通信網はモバイル端末から送信された実体ＳＩＭカードのＩＭＳＩに基づき、同実体ＳＩＭカードの所属国および通信事業者情報を判断し、モバイル端末が実体ＳＩＭカードを介した登録に成功した場合、実体ＳＩＭカードを通じて国際ローミングの第１接続を確立する。モバイル端末は、確立した第１接続を介して移動体通信網内の他のデバイスと接続し、交信することができる。例えば、本発明の実施形態では、モバイル端末は、実体ＳＩＭカードと移動体通信網との第１接続を介してＶＳＩＭサーバと通信ができる。例えば、実体ＳＩＭカードの登録成功後に取得した同モバイル端末の位置情報をＶＳＩＭサーバに送信する。例えば、移動体国コード（Ｍｏｂｉｌｅ  Ｃｏｕｎｔｒｙ  Ｃｏｄｅ：ＭＣＣ）と移動体通信網コード（Ｍｏｂｉｌｅ  Ｎｅｔｗｏｒｋ  Ｃｏｄｅ：ＭＮＣ）をＶＳＩＭサーバに送信すること、及び、モバイル端末が移動体通信網から取得した認証請求メッセージの認証パラメータをＶＳＩＭサーバに送信すること及びＶＳＩＭサーバから認証応答メッセージを取得する。モバイル端末が実体ＳＩＭカードの登録成功後の位置情報をＶＳＩＭサーバに送信したことにより、ＶＳＩＭサーバが前記モバイル端末の現在位置に基づき、ＶＳＩＭサーバの複数のＳＩＭカードのうち、モバイル端末に１つのＳＩＭカード番号を割り当てる。同ステップでは、モバイル端末が第１接続を介してＶＳＩＭサーバと通信する具体的な内容については繰り返さない。
【００２３】
ステップ１２０：第１接続を介してＶＳＩＭサーバから送信されたＶＳＩＭのユーザ識別コード付きＶＳＩＭ情報を取得する。
【００２４】
モバイル端末は、第１接続を介してＶＳＩＭサーバによって送信されたＶＳＩＭのＩＭＳＩ情報付きＶＳＩＭ情報を取得する。ＶＳＩＭサーバは、モバイル端末にＶＳＩＭ情報を送信することで、モバイル端末にＶＳＩＭを割り当てることができ、ＩＭＳＩがＳＩＭカードと一意に対応する。ＶＳＩＭサーバが割り当てられたＶＳＩＭのＩＭＳＩをモバイル端末に送信することができる。同ステップでは第１接続を介してＶＳＩＭサーバから送信されたユーザ一意識別コードＩＭＳＩ付きＶＳＩＭ情報を取得する。１つのＩＭＳＩがＶＳＩＭサーバの実体ＳＩＭカードに一意に対応している。
【００２５】
ステップ１３０：ＶＳＩＭ情報に従ってネットワーク側への登録請求を開始する。
【００２６】
モバイル端末は、ＶＳＩＭサーバによって送信されたＶＳＩＭ情報を受信すると、情報内のＩＭＳＩ情報に従ってネットワークへの登録を開始することができる。モバイル端末が前記ＩＭＳＩを介してネットワーク側への登録請求を開始すると、前記ＶＳＩＭサーバによって送信されたＩＭＳＩ番号が移動体通信網に送信され、前記ＩＭＳＩを介して移動体通信網にログインすることができる。説明に値するのは、モバイル端末が前記ＩＭＳＩを介していかなる仕様の移動体通信網への登録請求を開始することは、従来技術およびプロトコルに従って決定することができ、本発明によって制限されていない。ＶＳＩＭサーバから送信されたＩＭＳＩによりログインした移動体通信網と、実体ＳＩＭカードを介してモバイル端末との第１接続を確立する移動体通信網とは、同一であっても異なっていてもよく、本発明はこれに限定せず、説明の便宜上、本発明の実施形態では、実体ＳＩＭカードを介してモバイル端末と第１接続を確立する移動体通信網を第１移動体通信網と呼び、ＶＳＩＭに対応するＩＭＳＩを介してモバイル端末と第２接続を確立する移動体通信網を第２移動体通信網とする。移動体通信網は、登録請求を受信すると、認証請求を開始し、モバイル端末に認証請求メッセージを送信する。
【００２７】
ステップ１４０：当該ＶＳＩＭを認証するための認証請求メッセージを取得する。認証請求メッセージは、ＶＳＩＭ認証を請求する認証パラメータを運ぶ。
【００２８】
ＵＭＴＳネットワークを例にとると、モバイル端末のＶＳＩＭモジュールがＶＳＩＭサービスから送信されたＩＭＳＩを取得すると、当該ＩＭＳＩに従って第２移動体通信網への登録を開始することができ、第２移動体通信網のモバイル交換センター（  ＭＯＢＩＬＥ  ＳＷＩＴＣＨＩＮＧ  ＣＥＮＴＥＲ：ＭＳＣ）と訪問先レジスタ（  ＶＩＳＩＴＯＲ  ＬＯＣＡＴＩＯＮ  ＲＥＧＩＳＴＥＲ：ＶＬＲ）は、認証データから認証パラメータを選択し、モバイル端末に認証請求メッセージを送信する。請求メッセージは、選択された認証パラメータのＲＡＮＤ、ＡＵＴＮ、ＣＫＳ  Ｎパラメータを携帯する。様々な仕様の移動体通信網の認証パラメータ及び計算ルールは、様々な仕様の移動体通信網のプロトコルに基づく。本発明の実施形態では限定されない。
【００２９】
同ステップでは、モバイル端末は、ネットワーク側から送信された認証請求メッセージを取得し、当該認証請求メッセージは、ＶＳＩＭを認証するための認証パラメータを運ぶ。なお、本実施形態では、当該ＶＳＩＭ認証回路はＶＳＩＭサーバに設けられている。例えば、ＶＳＩＭサーバに複数の実体ＳＩＭカードが設けられ、ＶＳＩＭサーバに設けられたＳＩＭカードの回路によりモバイル端末のＶＳＩＭの為に認証計算を行う。
【００３０】
本ステップでは、モバイル端末は、ネットワークから送信された認証請求メッセージを取得する。認証請求メッセージの具体的な内容は、移動体通信網の仕様によって異なることができ、具体的には、従来技術およびプロトコルの規定に従う。ＵＭＴＳネットワークを例にとると、本ステップでは、モバイル端末は、認証請求メッセージの認証パラメータＲＡＮＤを取得する。従来技術は、様々な仕様の移動体通信網によるモバイル端末への認証を規定している。モバイル端末によるネットワーク側に対する認証の具体的なステップ及びパラメータに関し、本発明の実施形態では具体的な認証プロセスとパラメータが限定されていない。このステップでは、モバイル端末は、第２移動体通信網によって送信された認証請求メッセージを取得する。当該認証請求メッセージは、ＶＳＩＭを認証するための認証パラメータを運ぶ。
【００３１】
ステップ１５０：認証請求メッセージの認証パラメータをＶＳＩＭサーバに送信し、ＶＳＩＭサーバが認証パラメータに従って認証応答パラメータを決定する。
【００３２】
ＵＭＴＳネットワークを例にとると、モバイル端末は、ネットワーク側の認証請求メッセージを取得した後、ＲＥＳを算出し、ＲＥＳをＭＳＣとＶＬＲに送信し、ＭＳＣとＶＬＲは自ら算出したＸＲＥＳと携帯電話から返信したＲＥＳを比較し、同じであれば、正当なユーザと判断し、ユーザの認証が成功し、携帯電話のアクセスを許可する。そうでない場合は、不正なユーザと判断し、ユーザの認証が失敗し、サービスを拒否する。
【００３３】
本発明の実施形態では、ＶＳＩＭの認証計算を行う認証回路がＶＳＩＭサーバに設定されているため、モバイル端末が認証請求メッセージを取得した後、認証請求メッセージの認証パラメータをＶＳＩＭサーバに送信し、ＶＳＩＭサーバに設けられたＳＩＭカードの認証回路が認証パラメータに従って認証応答パラメータを決定する。具体的には、ＶＳＩＭサーバに設けられた実体ＳＩＭカードの認証回路による認証計算に必要な認証パラメータをＶＳＩＭサーバに送信することができる。
【００３４】
ステップ１６０：ＶＳＩＭサーバから送信された認証応答パラメータを取得し、認証応答パラメータに従って認証を行う。
【００３５】
同ステップでは、モバイル端末はＶＳＩＭサーバから送信された認証応答パラメータを取得する。当該認証応答パラメータは、モバイル端末の取得した第２移動体通信網からの認証請求メッセージの認証パラメータに従ってＶＳＩＭサービスのＳＩＭカードの認証回路の計算により当該モバイル端末への送信を決定する。ＶＳＩＭサーバによって送信された認証応答パラメータを取得した後、モバイル端末は認証のために、当該認証応答パラメータを当該ＶＳＩＭの登録先ネットワークに送信する。
【００３６】
本発明の実施形態では、モバイル端末のＶＳＩＭが第２移動体通信網に登録イベント等の認証に関するイベントを開始する際に、モバイル端末は第２移動体通信網からの認証請求を受信した後、認証請求の認証パラメータをＶＳＩＭサーバに送信し、ＶＳＩＭサーバから取得した認証応答パラメータを用いる認証を行うことにより、少量のローミングリソースのみでＶＳＩＭに対する認証ができ、それによってモバイル端末がＶＳＩＭを介して移動体通信網にアクセスすることができる。
【００３７】
さらに、本発明の実施形態は、ＲＳＩＭのアップリンク同期フレームを送信するステップを含む。同ステップでは、実体ＳＩＭカードにより登録した第１移動体通信網にＳＩＭカードのアップリンク同期フレームを送信する。実体ＳＩＭカードのアップリンク同期フレームを送信する間に、ネットワーク側によって送信されたダウンリンク同期フレームを受信することもできる。本発明の実施形態では、アップリンク同期フレームの送信と、ダウンリンク同期フレームの受信に関する具体的なプロセスを限定せず、従来技術およびプロトコルに従う。
【００３８】
図２は本発明によるＶＳＩＭ認証方法のもう一つの実施形態のフローチャートである。図２のように、本発明のＶＳＩＭ認証方法は、以下のステップを含む。
【００３９】
ステップ２１０：端末内のＲＳＩＭ実体ユーザ識別モジュールに従って移動体通信網と第１接続を確立する。
モバイル端末が実体ＳＩＭカードを介して移動体通信網と第１接続を確立する。そのうち、前記実体ＳＩＭカードがモバイル端末に内蔵したＳＩＭカード、またはカードスロットを介してモバイル端末と結合したＳＩＭカードである。ユーザの国際旅行の際に、モバイル端末が元のＳＩＭカードを介してローミング先の移動体通信網への登録請求を開始する時に、移動体通信網はモバイル端末から送信されたＳＩＭカードのＩＭＳＩに基づき同ＳＩＭカードの所属国および通信事業者情報を判断し、モバイル端末がＳＩＭカードを介した登録に成功した場合、国際ローミングの第１接続が確立される。モバイル端末は、確立した第１接続を介して移動体通信網内の他のデバイスと接続し、交信することができる。例えば、本発明の実施形態では、モバイル端末は、実体ＳＩＭカードと移動体通信網との第１接続を介してＶＳＩＭサーバと通信ができる。例えば、実体ＳＩＭカードの登録成功後に取得した同モバイル端末の位置情報をＶＳＩＭサーバに送信する。例えば、移動体国コード（Ｍｏｂｉｌｅ  Ｃｏｕｎｔｒｙ  Ｃｏｄｅ：ＭＣＣ）と移動体通信網コード（Ｍｏｂｉｌｅ  Ｎｅｔｗｏｒｋ  Ｃｏｄｅ：ＭＮＣ）をＶＳＩＭサーバに送信すること、及び、モバイル端末が移動体通信網から取得した認証請求メッセージの認証パラメータをＶＳＩＭサーバに送信すること及びＶＳＩＭサーバから認証応答メッセージを取得する。モバイル端末が実体ＳＩＭカードの登録成功後の位置情報をＶＳＩＭサーバに送信したことにより、ＶＳＩＭサーバがモバイル端末の現在位置に基づき、ＶＳＩＭサーバの複数のＳＩＭカードのうち、モバイル端末に１つのＳＩＭカード番号を割り当てる。
【００４０】
ステップ２２０：第１接続を介してＶＳＩＭサーバから送信されたＶＳＩＭのユーザ識別コード付きＶＳＩＭ情報を取得する。
【００４１】
ＶＳＩＭサーバは、モバイル端末にＶＳＩＭ情報を送信することで、モバイル端末にＶＳＩＭを割り当てることができ、ＩＭＳＩがＳＩＭカードと一意に対応する。ＶＳＩＭサーバが割り当てられたＶＳＩＭのＩＭＳＩをモバイル端末に送信することができる。同ステップでは第１接続を介してＶＳＩＭサーバから送信されたユーザ一意識別コード付きＶＳＩＭ情報を取得する。
【００４２】
ステップ２３０：ＶＳＩＭに従ってネットワーク側への登録請求を開始する。
【００４３】
モバイル端末がＶＳＩＭサーバから送信されたＶＳＩＭ情報を受信すると、同情報のＩＭＳＩ情報に従ってネットワークへの登録請求を開始し、前記ＶＳＩＭサーバによって送信されたＩＭＳＩ番号が移動体通信網に送信され、前記ＩＭＳＩを介して移動体通信網にログインすることができる。ＶＳＩＭサーバから送信されたＩＭＳＩによりログインした移動体通信網と、実体ＳＩＭカードを介してモバイル端末との第１接続を確立する移動体通信網とは、同一であっても異なっていてもよく、本発明はこれに限定せず、説明の便宜上、本発明の実施形態では、実体ＳＩＭカードを介してモバイル端末と第１接続を確立する移動体通信網を第１移動体通信網と呼び、ＶＳＩＭに対応するＩＭＳＩを介してモバイル端末と第２接続を確立する移動体通信網を第２移動体通信網とする。
【００４４】
ステップ２４０：ＲＳＩＭのアップリンク同期フレームを送信する。
【００４５】
同ステップでは、実体ＳＩＭカードにより登録した第１移動体通信網にＳＩＭカードのアップリンク同期フレームを送信する。あるいは、本発明の実施形態は、ＲＳＩＭのアップリンク同期フレームを送信しながら、ネットワーク側によって送信されたダウンリンク同期フレームを受信することもできる。アップリンク同期フレームを送信する場合、具体的に、モバイル端末が２つのベースバンドモジュール、２セットＲＦ回路及び２セットアンテナを搭載する場合、実体ＳＩＭカードにより確立した第１接続を介して第１移動体通信網に当該実体ＳＩＭカードのアップリンク同期フレームを送信し、当該第１接続がネットワークにより解放されないようにする。あるいは、モバイル端末が１つのベースバンドモジュールと、２セットＲＦ回路と２セットアンテナを搭載する場合、すなわち、モバイル端末がデュアルスタンバイ（Ｄｕａｌ  ＳＩＭ  ｄｕａｌ  ａｃｔｉｖｅ：ＤＳＤＡ）である場合、実体ＳＩＭカードにより確立した第１接続を介して第１移動体通信網に当該実体ＳＩＭカードのアップリンク同期フレームを送信し、当該第１接続がネットワークにより解放されないようにすることもできる。または、モバイル端末が１つのベースバンドモジュールと、２セットＲＦ回路と１セットアンテナを搭載する場合、すなわち、モバイル端末がデュアルスタンバイ（Ｄｕａｌ  ＳＩＭ  ｄｕａｌ  ａｃｔｉｖｅ：ＤＳＤＡ）である場合、ＶＳＩＭと第２移動体通信網で確立した信号リンクを介して第１移動体通信網に当該実体ＳＩＭカードのアップリンク同期フレームを送信することができる。例えば、ＶＳＩＭの物理リンクにタイムスロットを割り当ててＲＳＩＭに対応するアップリンク同期フレームを送信する。具体的に、穴開け方式でＲＳＭのアップリンク同期フレームを送信する。前記アップリンク同期フレームは無線ネットワークの臨時標識（Ｒａｄｉｏ  Ｎｅｔｗｏｒｋ  Ｔｅｍｐｏｒｙ  Ｉｄｅｎｔｉｔｙ：ＲＮＴＩ）を運ぶ。第１移動体通信網のネットワーク側が、当該モバイル端末に対応するＲＮＴＩを検出すると、当該アップリンク同期フレームを取得し、当該第１接続がネットワークにより解放されないようにする。なお、アップリンク同期フレームの携帯する標識のタイプが様々な仕様のネットワークに従う。本発明は例示のみであり、これに限定されるものではない。
【００４６】
なお、本発明の実施形態では、ステップの番号は、ステップの優先順位を限定するものではなく、例えば、本実施形態においてＲＳＩＭのアップリンク同期フレームを送信するステップは、ＶＳＩＭに従った登録を開始すると同時に、あるいはその前後にしてもよく、具体的には、予め設定された周波数又は時間に応じて第１接続を介して第１移動体通信網ネットワークに実体ＳＩＭカードのアップリンク同期フレームを送信してもよい。
【００４７】
ステップ２５０：認証請求メッセージの取得。認証請求メッセージは、ＶＳＩＭ認証を請求する認証パラメータを運ぶ。
【００４８】
モバイル端末が取得したＩＭＳＩに従って第２移動体通信網への登録を開始した後、ネットワーク側から認証請求を送信して当該モバイル端末に対する認証を行う。従来技術においてもモバイル端末によるネットワーク側に対する認証が存在するので、本発明の実施形態では認証プロセスおよびパラメータが限定されない。このステップでは、モバイル端末は、第２移動体通信網によって送信された認証請求メッセージを取得する。当該認証請求メッセージは、ＶＳＩＭを認証するための認証パラメータを運ぶ。具体的に、第２移動体通信網がモバイル端末から送信されたＶＳＩＭに対応するＩＭＳＩを受信した後に、ＩＭＳＩの情報に従ってＶＳＩＭに対する認証を行う。
【００４９】
ステップ２６０：ＶＳＩＭのアップリンク同期フレームを送信する。
【００５０】
本発明の実施形態では、モバイル端末は、第２移動通信網から送信されたＶＳＩＭに対応するＩＭＳＩの認証請求を取得した後、ＶＳＩＭサーバに認証パラメータを送信し、及びＶＳＩＭサーバから認証応答パラメータを取得し、それから、第２移動体通信網に認証応答パラメータを送信する。ネットワーク側では、ネットワーク側は、モバイル端末に認証請求を送信した後、モバイル端末から送信された認証応答を待ち、その後、モバイル端末から送信された認証応答に基づきＩＭＳＩの適否審査を行う。モバイル端末は、ＩＭＳＩに従った登録を開始した第２移動体通信網にＶＳＩＭのアップリンク同期フレームを送信し、第２移動通信網におけるＶＳＩＭのリンク脱調によるＶＳＩＭ信号リンクの解放を防ぐ。具体的に、アップリンク同期フレームの送信方法、頻度あるいはタイミング、周波数については、様々な仕様の通信システムの要求及び既存のプロトコルに従う。本発明はそれを限定するものではない。本発明の実施形態では、ステップの番号はステップの優先順位を限定するものではない。例えば、本実施形態では、認証請求メッセージを取得してから、モバイル端末がネットワークに認証応答を送信して認証を行うまでの間、いつまでもＶＳＩＭのアップリンク同期フレームを予め設定した周波数または時間で送信することができる。
【００５１】
具体的に、本ステップでは、モバイル端末が２つのベースバンドモジュール、２セットＲＦ回路及び２セットアンテナを搭載する場合、ＶＳＩＭから第２移動体通信網への登録の信号リンクを介して第２移動体通信網にアップリンク同期フレームを送信し、当該信号リンクがネットワークにより解放されないようにする。モバイル端末が１つのベースバンドモジュールと、２セットＲＦ回路と２セットアンテナを搭載する場合、すなわち、モバイル端末がＤＳＤＡデバイスである場合、ＶＳＩＭから第２移動体通信網への登録の信号リンクを介して第２移動体通信網にアップリンク同期フレームを送信し、当該信号リンクがネットワークにより解放されないようにする。あるいは、モバイル端末が１つのベースバンドモジュールと、２セットＲＦ回路と１セットアンテナを搭載する場合、すなわち、モバイル端末がＤＳＤＡデバイスである場合、モバイル端末の実体ＳＩＭカードと第１移動体通信網間で確立した第１接続を介して第２移動体通信網に当該ＶＳＩＭのアップリンク同期フレームを送信することができる。例えば、ＶＳＩＭの物理リンクにタイムスロットを割り当ててＶＳＩＭのアップリンク同期フレームを送信するとともに、送信したアップリンク同期フレームにＲＮＴＩ標識を搭載し、第２移動体通信網が当該アップリンク同期フレームを取得した時に、当該モバイル端末を識別することができ、それによって当該信号リンクがネットワークにより解放されないようにする。あるいは、本発明の実施形態は、ＲＳＩＭのアップリンク同期フレームを送信しながら、ネットワーク側によって送信されたダウンリンク同期フレームを受信することもできる。
【００５２】
ステップ２７０：認証パラメータをＶＳＩＭサーバに送信し、ＶＳＩＭサーバが認証パラメータに従って認証応答パラメータを決定する。
【００５３】
本発明の実施形態では、モバイル端末のＶＳＩＭに対応するＳＩＭカードがＶＳＩＭサーバに設けられ、認証回路もＶＳＩＭサーバのＳＩＭカードに設けられ、モバイル端末がネットワーク側の認証パラメータを受信すると、モバイル端末自身が取得したＩＭＳＩの認証回路及び認証パラメータを有しないので、認証計算を行うことができないため、本ステップでは、モバイル端末は、受信した認証パラメータを第１接続を介してＶＳＩＭサーバに送信し、ＶＳＩＭサーバのＩＭＳＩに対応するＳＩＭカードが認証パラメータに従った認証応答パラメータを決定する。
【００５４】
ステップ２８０：ＶＳＩＭサーバによって送信された認証応答パラメータを取得し、認証応答パラメータに従った認証を実行する。
【００５５】
ＶＳＩＭサーバはモバイル端末から送信された認証パラメータを受信し、対応する実体ＳＩＭカードが認証パラメータに基づき認証応答を計算し、算出した認証応答をモバイル端末に送信する。本ステップでは、モバイル端末が第１接続を介してＶＳＩＭサーバから送信された認証応答パラメータを取得し、既存の技術とプロトコルに従い当該認証応答パラメータを利用して第２移動体通信網に認証を開始することができる。
【００５６】
本発明の実施形態では、モバイル端末はＲＳＩＭに従って移動体通信網と第１接続を確立し、ＶＳＩＭサーバから送信されたＶＳＩＭ情報を第１接続を介して取得し、ＩＭＳＩに従ってネットワーク側への登録を開始する。その間、第１移動体通信網にＲＳＩＭのアップリンク同期フレームを送信し、それによってモバイル端末からＶＳＩＭサーバに認証パラメータを送信し、ＶＳＩＭサーバからの認証応答を取得する時にＶＳＩＭの登録したネットワークにアップリンク同期フレームを送信する。本発明の実施形態では、モバイル端末のＶＳＩＭプロセスがＶＳＩＭサーバから送信された認証応答を待っているときに、第２移動体通信網にアップリンク同期フレームを送信し、それによってモバイル端末が当該ＳＩＭに基づいた第２移動通信網における信号リンクの脱調を防ぐ。同時に、本発明の実施形態では、アップリンク同期フレームを送信すること方法を採用し、少量のデータを送信するだけで接続の保持ができるので、少量の無線リソース消耗量の条件下で、ＶＳＩＭがＶＳＩＭサーバからの認証応答パラメータを待っている間に、ＶＳＩＭの信号リンクの脱調を防ぐことができ、それによって順調に認証を完成する。
【００５７】
図３は本発明によるＶＳＩＭ認証方法の更なるもう一つの実施形態のフローチャートである。図３のように、本発明の実施形態のＶＳＩＭ認証方法は、以下のステップを含む。
【００５８】
ステップ３１０：端末内のＲＳＩＭ実体ユーザ識別モジュールに従って移動体通信網と第１接続を確立する。
【００５９】
本ステップでは、ＲＳＩＭ実体ユーザ識別モジュールに従って移動体通信網と第１接続を確立する。具体的には、図１に対応する実施形態ステップ１１０による。
【００６０】
ステップ３２０：第１接続を介してモバイル端末の位置情報をＶＳＩＭサーバに送信する。
【００６１】
モバイル端末は、実体ＳＩＭカードによって登録に成功した後にネットワーク側から受信した当該モバイル端末の現下位置情報をＶＳＩＭサーバに送信する。例えば、移動体国コード（Ｍｏｂｉｌｅ  Ｃｏｕｎｔｒｙ  Ｃｏｄｅ：ＭＣＣ）と移動体通信網コード（Ｍｏｂｉｌｅ  Ｎｅｔｗｏｒｋ  Ｃｏｄｅ：ＭＮＣ）をＶＳＩＭサーバに送信し、それによってＶＳＩＭサーバが当該モバイル端末の現下位置情報に基づき、ＶＳＩＭサーバの複数のＳＩＭカードのうち、モバイル端末に１つのＳＩＭカード番号を割り当てる。
【００６２】
ステップ３３０：第１接続を介してＶＳＩＭサーバから送信されたＶＳＩＭのユーザ識別コード付きＶＳＩＭ情報を取得する。
【００６３】
同ステップでは第１接続を介してＶＳＩＭサーバから送信されたユーザ一意識別コード付きＶＳＩＭ情報を取得する。具体的には、図１に対応する実施形態ステップ１２０による。
【００６４】
ステップ３４０、第１接続を切断する。
【００６５】
本ステップでは、モバイル端末が実体ＳＩＭカードを介して移動体通信ネットワークと確立した第１接続を切断する。具体的な切断方法は、例えばＰＤＰの非活性化、実体ＳＩＭカードを介したモバイル端末と移動体通信ネットワーク間のデータチャネルの切断、またはＲＲＣ接続の解放など第１接続を解放する従来技術またはプロトコルの規定を採用することができる。本発明の実施形態は、第１接続の具体的な切断方法を限定するものではない。
【００６６】
ステップ３５０：ＶＳＩＭに従ってネットワーク側への登録請求を開始する。
【００６７】
本ステップでは、ＶＳＩＭに従ってネットワーク側への登録を開始する。具体的には、図１に対応する実施形態のステップ１３０による。
【００６８】
ステップ３６０：当該ＶＳＩＭを認証するための認証請求メッセージを取得する。認証請求メッセージは、ＶＳＩＭ認証を請求する認証パラメータを運ぶ。
【００６９】
本ステップでは、認証請求メッセージを取得する。認証請求メッセージは、ＶＳＩＭ認証を請求する認証パラメータを運ぶ。具体的には、図１に対応する実施形態のステップ１４０による。本発明の実施形態では、モバイル端末がＶＳＩＭに対する認証の認証請求メッセージを取得した後、或る程度の時間帯を必要とする。同時間帯では、取得した認証パラメータをＶＳＩＭサーバに送信し、ＶＳＩＭサーバから認証応答を受信してから、ネットワークに認証応答パラメータを送信して認証を行う。それ故、本発明の実施形態では、モバイル端末がＶＳＩＭによりネットワーク側からの認証請求メッセージを取得した後、モバイル端末が実体ＳＩＭカードを介して移動体通信網と確立した接続を通じてサーバと交信し、同時に、ＶＳＩＭプロセスはサーバから送信された認証応答を待たなければならない。
ステップ３７０：ＲＳＩＭに従って移動体通信網と第２接続を確立する。
【００７０】
ステップ３４０で、実体ＳＩＭカードにより移動体通信網と確立した第１接続を切断したので、本ステップでは、モバイル端末に内蔵された、あるいはモバイル端末のＳＩＭカードのカードスロットと結合したＳＩＭカードにより移動体通信網との接続を確立し、それによってモバイル端末が第２接続を介してＶＳＩＭサーバと交信する。説明の便宜上、当該接続を第２接続と称する。本ステップでは、ＲＳＩＭにより移動体通信網との間で確立した第２接続の方法は既存技術およびプロトコルに基づく。本発明はそれを限定しない。
【００７１】
ステップ３８０：第２接続を介してＶＳＩＭのアップリンク同期フレームを送信する。
【００７２】
本ステップでは、ステップ３７０で確立した第２接続を介してＶＳＩＭの登録開始したネットワークにアップリンク同期フレームを送信する。例えば、タイムスロットを割り当てた方法で第２接続を介してＶＳＩＭと第２移動体通信網との接続のアップリンク同期フレームを送信し、ＶＳＩＭサーバから送信されたＶＳＩＭ情報のＩＭＳＩによる移動体通信網への登録開始の信号リンクが維持され、ネットワークにおけるＶＳＩＭの信号リンク脱調によるＶＳＩＭ信号リンクの解放を防ぐ。あるいは、本発明の実施形態は、ＲＳＩＭのアップリンク同期フレームを送信しながら、ネットワーク側によって送信されたダウンリンク同期フレームを受信することもできる。
【００７３】
なお、本発明の実施形態では、ステップの番号は、ステップの優先順位を限定するものではなく、例えば、第２接続を介してＶＳＩＭのアップリンク同期フレームを送信すると、第２接続は確立後、モバイル端末がＶＳＩＭサーバから送信された認証応答パラメータを取得するまで継続し、モバイル端末が登録対象の移動体通信網に認証応答パラメータを送信する場合には、ＶＳＩＭのアップリンク同期フレームを第２接続を介して送信しなくてもよい。
【００７４】
ステップ３９０：認証パラメータをＶＳＩＭサーバに送信し、ＶＳＩＭサーバが認証パラメータに従って認証応答パラメータを決定する。
【００７５】
本ステップでは、ＶＳＩＭサーバに認証パラメータを送し、ＶＳＩＭサーバが認証パラメータに従って認証応答パラメータを決定する。具体的には、図２に対応する実施形態のステップ２７０による。
ステップ４００：ＶＳＩＭサーバによって送信された認証応答パラメータを取得し、認証応答パラメータに従った認証を実行する。
【００７６】
本ステップでは、ＶＳＩＭサーバによって送信された認証応答パラメータを取得し、認証応答パラメータに従った認証を実行する。具体的には、図２に対応する実施形態のステップ２８０による。
【００７７】
本発明の実施形態は、モバイル端末が２つのベースバンドモジュール、２セットＲＦ回路及び２セットアンテナを搭載するか、ＤＳＤＡモバイル端末から成る。特に、本発明の実施形態はＤＳＤＡモバイル端末から成ることができる。ＤＳＤＳモバイル端末によって構成される場合、本発明の実施形態のモバイル端末は、実体ＳＩＭカードを介して移動体通信網との間で第２接続を確立してＶＳＩＭサーバに認証パラメータを送信し、及びＶＳＩＭサーバからの認証応答を取得し、ＶＳＩＭの登録対象の移動体通信網にアップリンク同期フレームを送信し、それによってＶＳＩＭプロセスがＶＳＩＭサーバからの認証応答を待つ間に接続を存続させ、ＶＳＩＭ認証をスムーズに完成させる。本発明の実施形態では、第１接続を介してＶＳＩＭサーバからのＶＳＩＭ情報を取得してから第１接続を切断し、ＤＳＤＳタイプモバイル端末の認証プロセス円滑化をより一層強化する。
【００７８】
更に、本発明の実施形態に係るもう一つのＶＳＩＭ認証方法では、ＶＳＩＭのアップリンク同期フレームを第２接続を介して送信し、具体的には、アップリンク同期フレームを所定の周波数または所定のタイムスロットで送信する。特定のアップリンク同期フレームの送信頻度またはタイムスロットは、従来技術およびプロトコルに従うことができる。例えば、ネットワーク側の第１所定時間は、アップリンク同期フレームを受信した場合に接続が脱調していないと判断し、従って、アップリンク同期フレームの送信頻度は少なくともネットワーク側の時間ニーズを満たせばよい。異なる仕様の移動体通信網は、本発明によって限定されることなく、それぞれの通信ネットワークのプロトコルに従うことができる。
また、本発明の一実施形態のＶＳＩＭ認証方法は、第２接続を切断するステップをさらに含む。
具体的には、ＶＳＩＭサーバから送信された認証応答パラメータを取得し、認証応答パラメータに従って認証を行なった後、第２接続を切断する。
【００７９】
具体的には、例えば、第２接続をＰＤＰ非活性化によって切断する。
【００８０】
本発明の実施形態では、ＶＳＩＭがネットワーク側に認証応答を送信後、実体ＳＩＭカードによる移動体通信ネットワークとの間で確立した第１接続を切断し、ＶＳＩＭが認証を円滑に行うことができるとともに、無線リソースの節約にもなるので、通信のローミング料金を節約することができる。
【００８１】
図４は本発明によるＶＳＩＭ認証装置の一実施形態の構成略図である。図４のように、本発明の実施形態に係るＶＳＩＭ認証装置は、第１接続確立モジュール４１０と、第３取得モジュール４２０と、第１登録開始モジュール４３０と、第１取得モジュール４４０と、第１送信モジュール４５０と、第２取得モジュール４６０と、認証モジュール４７０とを備えている。
【００８２】
端末内のＲＳＩＭ実体ユーザ識別モジュールに従って移動体通信網と第１接続を確立するように構成された第１接続確立モジュールである。
【００８３】
具体的には、モバイル端末の第１接続確立モジュール４１０が実体ＳＩＭカードを介して移動体通信網と第１接続を確立する。そのうち、実体ＳＩＭカードがモバイル端末に内蔵したＳＩＭカード、またはカードスロットを介してモバイル端末と結合したＳＩＭカードである。
【００８４】
移動体通信網への登録請求を開始する時に、移動体通信網はモバイル端末から送信された実体ＳＩＭカードのＩＭＳＩに基づき、同実体ＳＩＭカードの所属国および通信事業者情報を判断し、モバイル端末が実体ＳＩＭカードを介した登録に成功した場合、実体ＳＩＭカードを通じて国際ローミングの第１接続を確立する。モバイル端末は、確立した第１接続を介して移動体通信網内の他のデバイスと接続し、交信することができる。
【００８５】
第１接続を介してＶＳＩＭサーバから送信されたＶＳＩＭのユーザ識別コード付き前記ＶＳＩＭ情報を取得するように構成された第３取得モジュールである。
【００８６】
モバイル端末の第３取得モジュール４２０は、第１接続を介してＶＳＩＭサーバによって送信されたＶＳＩＭのＩＭＳＩ情報付きＶＳＩＭ情報を取得する。ＶＳＩＭサーバは、モバイル端末にＶＳＩＭ情報を送信することで、モバイル端末にＶＳＩＭを割り当てることができ、ＩＭＳＩがＳＩＭカードと一意に対応する。ＶＳＩＭサーバが割り当てられたＶＳＩＭのＩＭＳＩをモバイル端末に送信することができる。同ステップでは第１接続を介してＶＳＩＭサーバから送信されたユーザ一意識別コードＩＭＳＩ付きＶＳＩＭ情報を取得する。１つのＩＭＳＩがＶＳＩＭサーバの実体ＳＩＭカードに一意に対応している。
【００８７】
ＶＳＩＭに従ってネットワーク側に登録請求を開始するように構成された第１登録開始モジュール４３０である。
【００８８】
モバイル端末は、ＶＳＩＭサーバによって送信されたＶＳＩＭ情報を受信すると、モバイル端末の第１登録開始モジュール４３０は当該情報内のＩＭＳＩ情報に従ってネットワークへの登録を開始することができる。モバイル端末の第１登録開始モジュール４３０がＩＭＳＩを介してネットワーク側への登録請求を開始すると、前記ＶＳＩＭサーバによって送信されたＩＭＳＩ番号が移動体通信網に送信され、前記ＩＭＳＩを介して移動体通信網にログインすることができる。説明に値するのは、いかなる仕様の移動体通信網への登録請求を開始することは、従来技術およびプロトコルに従うことができ、本発明によって制限されていない。ＶＳＩＭサーバから送信されたＩＭＳＩによりログインした移動体通信網と、実体ＳＩＭカードを介してモバイル端末との第１接続を確立する移動体通信網とは、同一であっても異なっていてもよく、本発明はこれに限定せず、説明の便宜上、本発明の実施形態では、実体ＳＩＭカードを介してモバイル端末と第１接続を確立する移動体通信網を第１移動体通信網と呼び、ＶＳＩＭに対応するＩＭＳＩを介してモバイル端末と第２接続を確立する移動体通信網を第２移動体通信網とする。移動体通信網の第１登録開始モジュール４３０は、登録請求を受信すると、認証請求を開始し、モバイル端末に認証請求メッセージを送信する。
【００８９】
前記ＶＳＩＭを認証するために認証請求メッセージの携帯した認証パラメータと、前記ＶＳＩＭを認証するための認証請求メッセージを取得するように構成された第１取得モジュール４４０である。
【００９０】
モバイル端末の第１取得モジュール４４０は、ネットワーク側から送信された認証請求メッセージを取得し、当該認証請求メッセージは、ＶＳＩＭを認証するための認証パラメータを運ぶ。
【００９１】
ＶＳＩＭサーバに第１取得モジュールの取得した認証パラメータを送信し、ＶＳＩＭサーバが前記認証パラメータに従って認証応答パラメータを決定するように構成された第１送信モジュール４５０である。
【００９２】
本発明の実施形態では、ＶＳＩＭの認証計算を行う認証回路がＶＳＩＭサーバに設定されているため、モバイル端末の第１送信モジュール４５０が認証請求メッセージを取得した後、第１送信モジュール４５０が認証請求メッセージの認証パラメータをＶＳＩＭサーバに送信し、ＶＳＩＭサーバに設けられたＳＩＭカードの認証回路が認証パラメータに従って認証応答パラメータを決定する。具体的には、ＶＳＩＭサーバに設けられた実体ＳＩＭカードの認証回路による認証計算に必要な認証パラメータをＶＳＩＭサーバに送信することができる。
【００９３】
ＶＳＩＭサーバによって送信された認証応答パラメータを取得するように構成された第２取得モジュール４６０である。
【００９４】
モバイル端末の第２取得モジュール４６０はＶＳＩＭサーバから送信された認証応答パラメータを取得する。当該認証応答パラメータは、モバイル端末の取得した第２移動体通信網からの認証請求メッセージの認証パラメータに従ってＶＳＩＭサービスのＳＩＭカードの認証回路の計算により当該モバイル端末への送信を決定する。
【００９５】
第２取得モジュールによって取得された認証応答パラメータに従って認証を実行するように構成される認証モジュール４７０である。
【００９６】
ＶＳＩＭサーバによって送信された認証応答パラメータを取得した後、モバイル端末の認証モジュール４７０は認証のために、当該認証応答パラメータを当該ＶＳＩＭの登録先ネットワークに送信する。
【００９７】
本発明の実施形態では、モバイル端末のＶＳＩＭが第２移動体通信網に登録イベント等の認証に関するイベントを開始する際に、モバイル端末は第２移動体通信網からの認証請求を受信した後、認証請求の認証パラメータをＶＳＩＭサーバに送信し、ＶＳＩＭサーバから取得した認証応答パラメータを用いる認証を行うことにより、通信事業者による特別なライセンス付与の必要なく、ＶＳＩＭに対する認証ができ、それによってモバイル端末がＶＳＩＭを介して移動体通信網にアクセスすることができる。
【００９８】
さらに、本発明の実施形態は、ＲＳＩＭのアップリンク同期フレームを送信する第２送信モジュールを含む。実体ＳＩＭカードにより登録した第１移動体通信網にＳＩＭカードのアップリンク同期フレームを送信する。
【００９９】
図５は本発明によるＶＳＩＭ認証装置のもう一つの実施形態の構成略図である。図５のように、本発明の実施形態に係るＶＳＩＭ認証装置は、第１接続確立モジュール４１０と、第３取得モジュール４２０と、第１登録開始モジュール４３０と、第１取得モジュール４４０と、第１送信モジュール４５０と、第２取得モジュール４６０と、認証モジュール４７０とを備えており、そのうち前記諸モジュールの具体的な動作は図４に対応する実施形態のモジュールによる。当該ＶＳＩＭ認証装置は更に、第２送信モジュール４８０と第３送信モジュール４９０を含み、そのうち、ＲＳＩＭのアップリンク同期フレームを送信するように構成される第２送信モジュール４８０である。
【０１００】
第２送信モジュール４８０は実体ＳＩＭカードにより登録した第１移動体通信網にＳＩＭカードのアップリンク同期フレームを送信する。第２送信モジュール４８０によるＲＳＩＭアップリンク同期フレームの送信は、ＶＳＩＭに従った登録を開始すると同時に、あるいはその前後にしてもよく、具体的には、予め設定された周波数又は時間に応じて第１接続を介して第１移動体通信網ネットワークに実体ＳＩＭカードのアップリンク同期フレームを送信してもよい。
【０１０１】
具体的に、モバイル端末が２つのベースバンドモジュール、２セットＲＦ回路及び２セットアンテナを搭載する場合、第２送信モジュール４８０が実体ＳＩＭカードにより確立した第１接続を介して第１移動体通信網に当該実体ＳＩＭカードのアップリンク同期フレームを送信し、当該第１接続がネットワークにより解放されないようにする。あるいは、モバイル端末が１つのベースバンドモジュールと、２セットＲＦ回路と２セットアンテナを搭載する場合、すなわち、モバイル端末がデュアルスタンバイ（Ｄｕａｌ  ＳＩＭ  ｄｕａｌ  ａｃｔｉｖｅ：ＤＳＤＡ）である場合、第２送信モジュール４８０が実体ＳＩＭカードにより確立した第１接続を介して第１移動体通信網に当該実体ＳＩＭカードのアップリンク同期フレームを送信し、当該第１接続がネットワークにより解放されないようにすることもできる。または、モバイル端末が１つのベースバンドモジュールと、２セットＲＦ回路と１セットアンテナを搭載する場合、すなわち、モバイル端末がデュアルスタンバイ（Ｄｕａｌ  ＳＩＭ  ｄｕａｌ  ａｃｔｉｖｅ：ＤＳＤＡ）である場合、第２送信モジュール４８０がＶＳＩＭにより第２移動体通信網との間で確立した信号リンクを介して第１移動体通信網に当該実体ＳＩＭカードのアップリンク同期フレームを送信する。例えば、タイムスロットを割り当ててアップリンク同期フレームを送信することができる。しかも送信したアップリンク同期フレームがＲＮＴＩ標識を有し、それによって第１接続がネットワークにより解放されないようにする。本発明の実施形態は、ＲＳＩＭのアップリンク同期フレームを送信しながら、ネットワーク側によって送信されたダウンリンク同期フレームを受信することもできる。
第１接続を介してＶＳＩＭのアップリンク同期フレームを送信するように構成される第３送信モジュール４９０である。
【０１０２】
モバイル端末は、第２移動通信網から送信されたＶＳＩＭに対応するＩＭＳＩの認証請求を取得した後、ＶＳＩＭサーバに認証パラメータを送信し、及びＶＳＩＭサーバから認証応答パラメータを取得し、それから、第２移動体通信網に認証応答パラメータを送信する。ネットワーク側では、ネットワーク側は、モバイル端末に認証請求を送信した後、モバイル端末から送信された認証応答を待ち、その後、モバイル端末から送信された認証応答に基づきＩＭＳＩの適否審査を行う。その間、モバイル端末の第３送信モジュール４９０は、ＩＭＳＩに従った登録を開始した第２移動体通信網にＶＳＩＭのアップリンク同期フレームを送信し、第２移動通信網におけるＶＳＩＭのリンク脱調によるＶＳＩＭ信号リンクの解放を防ぐ。具体的に、アップリンク同期フレームの送信方法、頻度あるいはタイミング、周波数については、様々な仕様の通信システムの要求及び既存のプロトコルに従う。本発明はそれを限定するものではない。
【０１０３】
具体的に、本ステップでは、モバイル端末が２つのベースバンドモジュール、２セットＲＦ回路及び２セットアンテナを搭載する場合、第３送信モジュール４９０がＶＳＩＭから第２移動体通信網への登録の信号リンクを介して第２移動体通信網にアップリンク同期フレームを送信し、当該信号リンクがネットワークにより解放されないようにする。モバイル端末が１つのベースバンドモジュールと、２セットＲＦ回路と２セットアンテナを搭載する場合、すなわち、モバイル端末がＤＳＤＡデバイスである場合、第３送信モジュール４９０がＶＳＩＭから第２移動体通信網への登録の信号リンクを介して第２移動体通信網にアップリンク同期フレームを送信し、当該信号リンクがネットワークにより解放されないようにする。あるいは、モバイル端末が１つのベースバンドモジュールと、２セットＲＦ回路と１セットアンテナを搭載する場合、すなわち、モバイル端末がＤＳＤＡデバイスである場合、第３送信モジュール４９０がモバイル端末の実体ＳＩＭカードと第１移動体通信網間で確立した第１接続を介して第２移動体通信網に当該ＶＳＩＭのアップリンク同期フレームを送信することができる。例えば、ＶＳＩＭの物理リンクにタイムスロットを割り当ててＶＳＩＭのアップリンク同期フレームを送信するとともに、送信したアップリンク同期フレームにＲＮＴＩ標識を搭載し、それによって当該信号リンクがネットワークにより解放されないようにする。本発明の実施形態は、ＶＳＩＭのアップリンク同期フレームを送信しながら、ネットワーク側によって送信されたダウンリンク同期フレームを受信することもできる。
【０１０４】
図６は本発明によるＶＳＩＭ認証装置の更なるもう一つの実施形態の構成略図である。図６のように、本発明の実施形態に係るＶＳＩＭ認証装置は、第１接続確立モジュール４１０と、第３取得モジュール４２０と、第１取得モジュール４４０と、第１送信モジュール４５０と、第２取得モジュール４６０と、認証モジュール４７０とを備えており、そのうち前記諸モジュールの具体的な動作は図４に対応する実施形態のモジュールによる。当該ＶＳＩＭ認証装置は更に、第１接続切断モジュール５００、第２登録開始モジュール５１０、第２接続確立モジュール５３０、第４送信モジュール５４０を含み、そのうち、第１接続確立モジュールによって確立された第１接続を切断するように構成された第１接続切断モジュール５００である。
【０１０５】
第１接続切断モジュール５００は、モバイル端末が実体ＳＩＭカードを介して移動体通信ネットワークと確立した第１接続を切断する。具体的な切断方法は、例えばＰＤＰの非活性化、実体ＳＩＭカードを介したモバイル端末と移動体通信ネットワーク間のデータチャネルの切断、またはＲＲＣ接続の解放など第１接続を解放する従来技術またはプロトコルの規定を採用することができる。本発明の実施形態は、第１接続の具体的な切断方法を限定するものではない。
【０１０６】
接続切断モジュールが第１接続を切断した後に、ＶＳＩＭに従ってネットワーク側への登録請求を開始するように構成された第２登録開始モジュール５１０である。
【０１０７】
第２登録開始モジュール５１０は、接続切断モジュール５００が第１接続を切断した後、ＶＳＩＭに従ってネットワーク側に登録を開始するものであり、具体的な動作は、図４に対応する実施形態の第１登録開始モジュール４３０による。本発明の実施形態では、第２登録開始モジュール５１０と第１登録開始モジュール４３０は同じモジュールユニットであっても、異なるモジュールユニットであっても、どちらもよい。
【０１０８】
第２接続確立モジュール５３０は第１取得モジュール４４０が認証請求メッセージを取得した後に、ＲＳＩＭに従って移動体通信網と第２接続を確立するように構成される。
【０１０９】
第１接続切断モジュール５００が、実体ＳＩＭカードにより移動体通信網と確立した第１接続を切断したので、第２接続確立モジュール５３０がモバイル端末に内蔵された、あるいはモバイル端末のＳＩＭカードのカードスロットと結合したＳＩＭカードにより移動体通信網との接続を確立する。説明の便宜上、当該接続を第２接続と称する。第２接続確立モジュール５３０が確立した第２接続により、モバイル端末は第２接続を介してＶＳＩＭサーバと通信し、ＶＳＩＭサーバに認証パラメータを送信し、ＶＳＩＭサーバから認証応答を取得することができる。
【０１１０】
第２接続を介してＶＳＩＭのアップリンク同期フレームを送信するように構成される第４送信モジュール５４０である。
【０１１１】
第４送信モジュール５４０が確立した第２接続を介してＶＳＩＭの登録開始した対象ネットワークにアップリンク同期フレームを送信し、ＶＳＩＭサーバから送信されたＶＳＩＭ情報のＩＭＳＩによる移動体通信網への登録開始の信号リンクが維持され、例えば、タイムスロットを割り当てた方法でアップリンク同期フレームを送信し、送信したアップリンク同期フレームにＲＮＴＩを持たせ、ネットワークにおけるＶＳＩＭの信号リンク脱調によるＶＳＩＭ信号リンクの解放を防ぐ。本発明の実施形態は、ＶＳＩＭのアップリンク同期フレームを送信しながら、ネットワーク側によって送信されたダウンリンク同期フレームを受信することもできる。第４送信モジュール５４０と第２送信モジュール４８０は、同一ユニットモジュールであっても、異なるモジュールであってもよい（図６では、第４送信モジュール５４０と第２送信モジュール４８０は２つのユニットモジュールであり、説明の便宜上、第４送信モジュール５４０と第２送信モジュール４８０は同一ユニットモジュールにおける構成が図示されていない）。
【０１１２】
本発明の実施形態では、ＶＳＩＭがネットワーク側に認証応答を送信後、実体ＳＩＭカードによる移動体通信ネットワークとの間で確立した第１接続を切断し、ＶＳＩＭが認証を円滑に行うことができるとともに、無線リソースの節約にもなるので、通信のローミング料金を節約することができる。
【０１１３】
図７は本発明によるＶＳＩＭ認証方法の一実施形態の信号交信図である。図７のように、本発明のＶＳＩＭ認証方法の実施形態は、モバイル端末の主制御モジュール、ＲＳＩＭモジュールとＶＳＩＭモジュール、及び第１移動体通信網、第２移動体通信、およびＶＳＩＭサーバの下記ステップを含む。
【０１１４】
７０１：端末のＲＳＩＭ実体ユーザ識別モジュールにより、第１移動体通信網への登録を開始し、ＲＳＩＭのＰＤＰ（パケット・メッセージ・プロトコル）を活性化し、ＩＰアドレスを取得し、データ接続を確立する。
【０１１５】
７０２：第１移動体通信網がＲＳＩＭに従って登録に成功した位置情報を主制御モジュールに送信する（例えばＭＣＣとＭＮＣ）。
【０１１６】
７０３：主制御モジュールは、ＭＣＣおよびＭＮＣをＶＳＩＭサーバに送信する。
【０１１７】
７０４：ＶＳＩＭサーバは、受信したモバイル端末のＭＣＣおよびＭＮＣに基づいてモバイル端末にＩＭＳＩを割り当てる。当該ＩＭＳＩはＶＳＩＭサーバに設置された複数の実体ＳＩＭカードのうち、一意対応のＩＭＳＩである。
【０１１８】
７０５：主制御モジュールは、ＶＳＩＭサーバによって送信されたＩＭＳＩをＶＳＩＭモジュールに送信する。
【０１１９】
７０６：ＶＳＩＭモジュールは、取得したＩＭＳＩに従って第２移動体通信網への登録請求を開始する。
【０１２０】
７０７：第２移動体通信網は、認証請求を送信し、ＶＳＩＭモジュールと第２移動体通信網との間の信号リンクを確立する。
【０１２１】
７０８：ＲＳＩＭモジュールは、第２移動体通信網にＶＳＩＭのアップリンク同期フレームを送信し、ＶＳＩＭモジュールと第２移動体通信網の信号リンクの脱調を防ぐ。アップリンク同期フレームを送信しながら、ネットワーク側によって送信されたダウンリンク同期フレームを受信することもできるが、本発明はこれを限定するものではない。
【０１２２】
７０９：ＶＳＩＭモジュールは受信した第２移動体通信網からの認証請求メッセージまたは認証請求メッセージの認証パラメータを主制御モジュールに送信する。
【０１２３】
７１０：主制御モジュールは認証請求メッセージまたは認証請求メッセージの認証パラメータをＶＳＩＭサーバに送信する。
【０１２４】
７１１：ＶＳＩＭサーバ内の前記ＩＭＳＩに対応するＳＩＭカードは、受信した認証パラメータまたは認証請求メッセージのパラメータに従って認証応答を決定する。
【０１２５】
７１２：ＶＳＩＭサーバは、決定した認証応答をモバイル端末の主制御モジュールに送信する。
【０１２６】
７１３：主制御モジュールは、認証応答をＶＳＩＭモジュールに送信する。
【０１２７】
７１４：ＶＳＩＭモジュールは、認証のために第２移動体通信網に認証応答を送信する。
【０１２８】
本実施形態では、ステップ７０７の後からステップ７１４前までに、第２移動体通信網にＶＳＩＭのアップリンク同期フレームを送信することができ、それによって第２移動体通信網がＶＳＩＭを検出し、ＶＳＩＭと第２移動体通信網間の信号リンクの接続を存続させ、ＶＳＩＭがＶＳＩＭサーバからの認証応答を待つようになるので、認証を円滑化する。
【０１２９】
図８は本発明によるＶＳＩＭ認証方法のもう一つの実施形態の信号交信図である。図８のように、本発明のＶＳＩＭ認証方法の実施形態は、モバイル端末の主制御モジュール、ＲＳＩＭモジュールとＶＳＩＭモジュール、及び第１移動体通信網、第２移動体通信、およびＶＳＩＭサーバの下記ステップを含む。
【０１３０】
８０１：端末のＲＳＩＭ実体ユーザ識別モジュールにより、第１移動体通信網への登録を開始し、ＲＳＩＭのＰＤＰ（パケット・メッセージ・プロトコル）を活性化し、ＩＰアドレスを取得し、データ接続を確立する。
【０１３１】
８０２：第１移動体通信網がＲＳＩＭに従って登録に成功した位置情報を主制御モジュールに送信する（例えばＭＣＣとＭＮＣ）。
【０１３２】
８０３：主制御モジュールは、ＭＣＣおよびＭＮＣをＶＳＩＭサーバに送信する。
【０１３３】
８０４：主制御モジュールは、ＲＳＩＭと第１移動体通信網との間の信号リンクを解放し、データ接続を閉じる。
【０１３４】
８０５：ＶＳＩＭサーバは、受信したモバイル端末のＭＣＣおよびＭＮＣに基づいてモバイル端末にＩＭＳＩを割り当てる。当該ＩＭＳＩはＶＳＩＭサーバに設置された複数の実体ＳＩＭカードのうち、一意対応のＩＭＳＩである。
【０１３５】
８０６：主制御モジュールは、ＶＳＩＭサーバによって送信されたＩＭＳＩをＶＳＩＭモジュールに送信する。
【０１３６】
８０７：ＶＳＩＭモジュールは、取得したＩＭＳＩに従って第２移動体通信網への登録請求を開始する。
【０１３７】
８０８：ＲＳＩＭと第１移動体通信網との間のデータ接続を再確立する。
【０１３８】
８０９：第２移動体通信網は、認証請求を送信し、ＶＳＩＭモジュールと第２移動体通信網との間の信号リンクを確立する。
【０１３９】
８１０：ＲＳＩＭモジュールは、第２移動体通信網にＶＳＩＭのアップリンク同期フレームを送信し、ＶＳＩＭモジュールと第２移動体通信網の信号リンクの脱調を防ぐ。
【０１４０】
８１１：ＶＳＩＭモジュールは受信した第２移動体通信網からの認証請求メッセージまたは認証請求メッセージの認証パラメータを主制御モジュールに送信する。
【０１４１】
８１２：主制御モジュールは認証請求メッセージまたは認証請求メッセージの認証パラメータをＶＳＩＭサーバに送信する。
【０１４２】
８１３：ＶＳＩＭサーバ内の前記ＩＭＳＩに対応するＳＩＭカードは、受信した認証パラメータまたは認証請求メッセージのパラメータに従って認証応答を決定する。
【０１４３】
８１４：ＶＳＩＭサーバは、決定した認証応答をモバイル端末の主制御モジュールに送信する。
【０１４４】
８１５：主制御モジュールは、認証応答をＶＳＩＭモジュールに送信する。
【０１４５】
８１６：ＶＳＩＭモジュールは、認証のために第２移動体通信網に認証応答を送信する。
【０１４６】
８１６後に、切断ステップ８０８でＲＳＩＭと第１移動体通信網との間のデータ接続を確立することをも含むことができる。
【０１４７】
本実施形態では、ＶＳＩＭが第２移動体通信網への登録を開始した後、第２移動体通信網に認証応答を送信した後、第２移動体通信網にＶＳＩＭのアップリンク同期フレームを送信することができ、それによって第２移動体通信網がＶＳＩＭを検出し、ＶＳＩＭと第２移動体通信網間の信号リンクの接続を存続させ、ＶＳＩＭがＶＳＩＭサーバからの認証応答を待つようになるので、認証を円滑化する。
【０１４８】
同技術分野の一般的な技術者がはっきりと理解できることに、説明の簡素化と便宜上、前記諸機能モジュールの分類による例示を以てのみ説明したが、実際の実用化においては、前記諸機能に基づいた様々な機能モジュールを確立ことができる。すなわち、装置の内部構造を様々な機能モジュールに分けられ、前記全部または一部の機能を現実化することができる。前記システム、装置、およびユニットの具体的な動作については、前記実施形態のそれぞれのプロセスを参照することができ、ここで改めてくどくど述べる必要はない。
【０１４９】
本出願で提供したいくつかの実施形態において、開示されたシステム、装置、および方法は、他の方法で実施されてもよいことを理解されたい。例えば、モジュールまたはユニットの分割は、論理的な機能分割のみであり、例えば、複数のユニットまたは構成要素から成るか、別のシステムに統合されるか、一部の機能が無視されるか、実行させないかのように、実際の実装時に別の分割方法を採用してもよい。さらに、図示または説明した結合、直接結合または通信接続は、いくつかのインタフェース、デバイスまたはユニットを介した間接結合または通信接続であってもよく、電気的、機械的またはその他の方法であってもよい。
【０１５０】
前記装置の実施形態は模式的なものであり、分離機能部として説明した手段は、物理的に分離されていてもよく、物理的に分離されていなくてもよい。ユニットとしての機能部は、物理的な手段であってもでなくてもよく、１箇所に位置していてもよく、複数のネットワークユニットに分散されていてもよい。この実施形態の解決策の目的を達成するために、前記ユニットの一部または全部を実況に応じて選択することができる。
【０１５１】
また、本発明の各実施形態における各機能部は、１つの処理部に統合されていてもよく、様々な物理的な実体に別々に存在してもよく、２つ以上のユニットを一体化にしてもよい。前記統合ユニットは、ハードウェアの形態で、またはソフトウェア機能ユニットの形態で実施することができる。
【０１５２】
前記統合ユニットは、ソフトウェア機能ユニットの形態で実装され、独立した製品として販売または使用される場合、コンピュータ可読記憶媒体に格納されてもよい。従って、本出願の技術的な解決手段は本質的に、または従来技術に貢献する部分、あるいはその全部または一部が、１つの記憶媒体に格納されたソフトウェア製品として具現化されてもよく、１つの計算機装置（パソコン、サーバ、あるいはネットワーク装置などであってもよい）またはプロセッサ（ｐｒｏｃｅｓｓｏｒ）で様々なコマンドを実行し、本出願のすべての実施形態の方法の一部または全部のステップを実現する。前記記憶媒体：ＵＳＢメモリ、ポータブルハードディスク、読み取り専用メモリ（ＲＯＭ、Ｒｅａｄ−Ｏｎｌｙ  Ｍｅｍｏｒｙ）、ランダムアクセスメモリー（ＲＡＭ、Ｒａｎｄｏｍ  Ａｃｃｅｓｓ  Ｍｅｍｏｒｙ）、磁気ディスク、または光学媒体など様々なプログラムコードを格納することができる媒介物を含む。
【０１５３】
なお、前記実施形態は、本発明の技術的解決手段を説明するためのものであってのみ、これに限定されるものではなく、本発明を前記実施形態を以て詳細に説明したが、同技術分野の一般的な技術者にとって理解しやすいように、前述の実施形態で説明した技術的解決策を変更したり、技術的特徴を同質的に置き換えることができるが、同変更または置き換えにより、技術的な解決手段を本発明の各実施形態の技術的解決策の精神と範囲を離脱させることができない。
【図１】
2019503635.tif 000003
【図２】
2019503635.tif 000004
【図３】
2019503635.tif 000005
【図４】
2019503635.tif 000006
【図５】
2019503635.tif 000007
【図６】
2019503635.tif 000008
【図７】
2019503635.tif 000009
【図８】
2019503635.tif 000010
【国際調査報告】
2019503635.tif 000011
2019503635.tif 000012
2019503635.tif 000013
2019503635.tif 000014